(57)【特許請求の範囲】
【請求項１】
テーブル板を水平に据付け支持する脚部をテーブル板のブラケットと連結されたフレーム端よりテーブル板の裏面に押倒し可能に備え、その脚部の接地フレーム部をテーブル板の裏面に設けられたホルダーの開放口より内側に嵌め込んで脚部をテーブル板の裏面側にホルダーで掛止め保持する簡易テーブルにおいて、
ホルダーは開放口より内側に嵌め込まれる接地フレーム部の軸線方向と直行する方向にスライド自在に装備してなることを特徴とする簡易テーブル。
【請求項２】
ホルダーは側面略逆Ω形を呈する弾性変形自在な本体部と、その本体部より外方に張り出すスライド支持板とを有し、
スライド支持板は本体部の開放口より内側に嵌め込まれる接地フレーム部の軸線方向と直行する方向の長孔を板面に有し、テーブル板の裏面より起立する支軸を該長孔に挿通させて当該支軸でスライド自在に支持してなることを特徴とする請求項１記載の簡易テーブル。
【発明の詳細な説明】
【０００１】
【発明の属する技術分野】
本発明は、アウトドア等で用いられる持運び可能な簡易テーブルに係り、具体的にはテーブル板を水平に据付け支持する脚部をテーブル板の裏面側に収納するのに用いられるホルダーを備えた簡易テーブルに関するものである。
【０００２】
【従来の技術】
一般に、アウトドア用等のテーブルとしては図３で示すように平板状の樹脂成形されたテーブル板１を備え、そのテーブル板１を二脚の相対する脚部２，３で水平に据付け支持する簡易なものがある。この簡易テーブルにおいては、金属製のパイプ部材を所定の軸線形状に折曲形成した脚部２，３がテーブル板１の裏面側に備えられている。
【０００３】
また、テーブル全体の持運び或いは収納の便宜上から、脚部２，３は図４で示すように各フレーム端２ａ，３ａをテーブル板１の裏面に立上げ形成したブラケット４，５に支軸６，７で枢着連結することにより該フレーム端２ａ，３ａからテーブル板１の裏面側に押倒し収納可能に備え付けられている。
【０００４】
その収納状態では、脚部２，３をテーブル板１の裏面側に安定よく納められるよう脚部２，３の接地フレーム部２ｂ，３ｂを開放口より内側に嵌め込んで脚部２，３をテーブル板１の裏面側に掛止め保持するホルダー８，９が備え付けられている。このホルダー８，９としては、図５で片側を示すようにテーブル板１と一体に樹脂成形された側面略逆Ω形を呈するものが備えられている。
【０００５】
その簡易テーブルにおいては脚部２，３をテーブル板１の裏面に取り付ける際にバラ付きが生じ、脚部２，３の接地フレーム部２ｂ，３ｂとホルダー８，９との間の位置ズレが生じ易い。このため、脚部２，３の接地フレーム部２ｂ，３ｂがホルダー８，９に容易に収さまらず、その接地フレーム部２ｂ，３ｂをホルダー８，９に強制的に嵌め込もうとすると割れてしまったりする。また、該接地フレーム部２ｂ，３ｂがホルダー８，９に収さまっても振動等で容易に外れてしまうことにもなりかねない。
【０００６】
それと同様な事態は脚部２，３の取付け上のバラ付きだけではなく、上述した如く簡易テーブルが金属製の脚部２，３をテーブル板１と一体に樹脂成形したホルダー８，９で掛止め保持するよう構成されているため、この脚部２，３とホルダー８，９との熱収縮率の相違によっても位置ズレが生ずるのを避けられない。
【０００７】
【発明が解決しようとする課題】
本発明は脚部をテーブル板の裏面に取り付ける際にバラ付きが生じ、或いは脚部とホルダーとの熱収縮率の相違によって脚部の接地フレームとホルダーとの間に位置ズレが生じても、脚部をテーブル板の裏面側にホルダーで確実に掛止め保持できるよう改良した簡易テーブルを提供することを目的とする。
【０００８】
また、本発明は脚部を確実に掛止め保持可能で簡略な構成を有するホルダーを装備するよう改良した簡易テーブルを提供することを目的とする。
【０００９】
【課題を解決するための手段】
本発明の請求項１に係る簡易テーブルにおいては、テーブル板を水平に据付け支持する脚部をテーブル板のブラケットと連結されたフレーム端よりテーブル板の裏面に押倒し可能に備え、その脚部の接地フレーム部をテーブル板の裏面に設けられたホルダーの開放口より内側に嵌め込んで脚部をテーブル板の裏面側にホルダーで掛止め保持する簡易テーブルで、ホルダーは開放口より内側に嵌め込まれる接地フレーム部の軸線方向と直行する方向にスライド自在に装備することにより構成されている。
【００１０】
本発明の請求項２に係る簡易テーブルにおいては、ホルダーは側面略逆Ω形を呈する弾性変形自在な本体部と、その本体部より外方に張り出すスライド支持板とを有し、スライド支持板は本体部の開放口より内側に嵌め込まれる接地フレーム部の軸線方向と直行する方向の長孔を板面に有し、テーブル板の裏面より起立する支軸を該長孔に挿通させて当該支軸でスライド自在に支持することにより構成されている。
【００１１】
【発明の実施の形態】
以下、図１，２を参照して説明すると、図１，２は本発明の簡易テーブルに装備するホルダー１０のみを示すものであり、その簡易テーブルのテーブル板１並びに脚部２（３）は図３，４で示すものと同様に構成されている。また、脚部２（３）は各フレーム端をテーブル板１の裏面に立上げ装着した金属製のブラケットに支軸で枢着連結することにより該フレーム端からテーブル板１の裏面に押倒し収納可能に備え付けられている。なお、ホルダー１０は二脚の脚部２（３）を接地フレーム部２ｂ（３ｂ）で各々掛止め保持するよう個別に備え付けられている。
【００１２】
そのホルダー１０は、図１で示すように脚部２（３）の接地フレーム部２ｂ（３ｂ）を開放口より内側に嵌込み可能な側面略逆Ω形を呈する本体部１０ａと、この本体部１０ａの基部側より両側外方に夫々張り出すスライド支持板１０ｂ，１０ｃとから形成されている。このホルダー１０は、全体がテーブル板１を形成するのと同材質の合成樹脂からテーブル板１と別体に樹脂成形されている。また、本体部１０ａは脚部２（３）の接地フレーム部２ｂ（３ｂ）を狭幅な開放口に嵌め込みまたは該開放口から外し出す際に弾性変形自在に形成されている。
【００１３】
そのスライド支持板１０ｂ，１０ｃには、長孔１０ｄ，１０ｅが各板面に夫々設けられている。この各長孔１０ｄ，１０ｅは、図２で片側のみ示す如くホルダー１０を接地フレーム部の軸線方向Ｘと直交する方向Ｙに位置するよう夫々開孔形成されている。
【００１４】
そのホルダー１０は、ねじ止め用のボス１１ａ，１１ｂをテーブル板１の裏面に起立形成し、このボス１１ａ，１１ｂの突端側をスライド支持板１０ｂ，１０ｃの長孔１０ｄ，１０ｅに挿通し、ワッシャー１２ａ，１２ｂを介してタッピングスクリュー１３ａ，１３ｂをボス１１ａ，１１ｂにねじ込み固定することによりテーブル板１の裏面側に取り付けられている。そのホルダー１０は、全体が本体部１１の基部側でテーブル板１の裏面に接することにより接地フレーム部２ｂ（３ｂ）の軸線方向Ｘと直交する方向Ｙに安定よくスライド自在に装備されている。
【００１５】
このように構成する簡易テーブルでは、ホルダー１０がボス１１ａ，１１ｂ並びにタッピングスクリュー１３ａ，１３ｂを支軸として接地フレーム部２ｂ（３ｂ）の軸線方向Ｘと直交する方向Ｙに長孔１０ｄ，１０ｅでスライド自在に取り付けられている。従って、脚部２（３）の取付けに際し或いは脚部２（３）とホルダー１０との熱収縮率の相違で脚部２（３）の接地フレーム部２ｂ（３ｂ）とホルダー１０との間に位置ズレが生じていても、その位置ズレをホルダー１０のスライド移動で吸収することができる。このため、脚部２，３はホルダー１０でテーブル板１の裏面に確実に掛止め保持できるばかりでなく、接地フレーム部２ｂ（３ｂ）を強制的に圧入し或いは外し出すのに伴ってホルダー１０が割れる等のトラブル発生を防ぐことができる。
【００１６】
上述した実施の形態では、ホルダー１０が本体部１１の基部側でテーブル板１の裏面に沿って摺動可能に取り付けられている。これに代えて、テーブル板１の補強用リブを裏面の全面に設ける際にボス部１１ａ，１１ｂと連続する補強用リブ１４ａ，１４ｂを設け、ホルダー１０をテーブル板１の裏面より多少浮せて該補強用リブ１４ａ，１４ｂで支持することにより安定よくスライド自在に取り付けることもできる。
【００１７】
また、上述した実施の形態ではホルダー１０をスライド支持板１０ｂ，１０ｃの長孔１０ｄ，１０ｅ、ボス１１ａ，１１ｂ並びにタッピングスクリュー１３ａ，１３ｂでスライド自在に装備したが、スライド支持板１０ｂ，１０ｃをテーブル板１の裏面に立上げ形成する掛止めフック等で両側より支持する如くホルダー１０をスライド自在に装備するよう適宜に設計変更することができる。
【００１８】
なお、上述した簡易テーブルでは特に図示しないが、テーブル板１の据付け時に脚部２，３を立付け固定するべく、屈伸自在なリンク機構が脚部２，３のフレーム端側とテーブル板１の裏面との間に掛渡し装備されている。また、この簡易テーブルはキャンピングカーやワゴン車等に携帯する場合にはカーゴフロアリッドの如く車体フロアに設ける小物入れの蓋板部等として兼用することができる。
【００１９】
【発明の効果】
以上の如く、本発明の請求項１に係る簡易テーブルに依れば、脚部を掛止め保持するホルダーがスライド自在にテーブル板の裏面に装備されているから、脚部の取付け時や脚部とホルダーとの熱収縮率の相違で脚部の接地フレーム部とホルダーとの間に位置ズレが生じても、脚部をホルダーで確実に掛止め保持できてホルダーが損傷するのも防ぐことができる。
【００２０】
本発明の請求項２に係る簡易テーブルに依れば、ホルダーをスライド支持板の長孔とテーブル板の裏面に設ける支軸とでスライド自在に装備することによりホルダーを簡略な構成で安定よく円滑にスライド移動可能に取り付けることができる。
【図面の簡単な説明】
【図１】本発明に係る簡易テーブルに備えられるホルダーを主に示す部分切欠側面図である。
【図２】図１のホルダーを片側のスライド支持板で示す部分平面図である。
【図３】一般例に係る簡易テーブルを立付け設置状態で示す斜視図である。
【図４】図３で示す簡易テーブルを脚部の収納状態で示す裏面図である。
【図５】従来例に係る簡易テーブルに備えられるホルダーを主に示す斜視図である。
【符号の説明】
１                              テーブル板
２，３                          脚部
２ｂ，３ｂ                      脚部の接地フレーム部
４，５                          ブラケット
１０                            ホルダー
１０ａ                          ホルダーの本体部
１０ｂ，１０ｃ                  ホルダーのスライド支持板
１０ｄ，１０ｅ                  ホルダーの長孔
１１ａ，１１ｂ、１３ａ，１３ｂ  ホルダーの支軸
Ｘ                              接地フレーム部の軸線方向
Ｙ                              ホルダーのスライド方向
【図１】
0003616935.tif 000002
【図２】
0003616935.tif 000003
【図３】
0003616935.tif 000004
【図４】
0003616935.tif 000005
【図５】
0003616935.tif 000006